(57)【要約】【課題】操作性を維持しつつ、薄型化を実現するシーソースイッチを提供する。【解決手段】シーソースイッチ２０は、基板３０と、ノブ４０と、ハウジング５０から構成されている。基板３０は、シーソースイッチ２０の底面を構成する部品であり、スイッチ３１とＬＥＤ（発光ダイオード）３２が設けられている。ノブ４０は、シーソースイッチ２０を操作する際に力を受ける部分であり、スイッチ３１に対応したボタン部４１と回転軸４２が設けられている。ハウジング５０は、シーソースイッチ２０の外郭を構成する部品である。シーソースイッチ２０は、ハウジング５０の有する軸受け５１にノブ４０の回転軸４２を嵌め込み、さらにその後、ハウジング５０の基板止め用リブ５２に係止めされるように基板３０を嵌め込むことによって組み立てられる。【選択図】        図３
2004327365.tif 000002
【特許請求の範囲】
【請求項１】
回転軸を備えるノブと、
スイッチが平面上に突設された基板と、
前記回転軸を接受する軸受けと前記基板を嵌め込んで係止めするための基板止め用リブを備え、シーソースイッチの外郭を構成するハウジングと、
を有し、
前記ハウジングにノブと基板とを嵌め込むことによってシーソースイッチを構成し、さらに、
前記ノブは、回転軸がハウジングの備える軸受けと基板平面との間に挟持されることにより、回転軸を中心として回動可能に取り付けされること、
を特徴とするシーソースイッチ。
【請求項２】
回転軸を備えるノブと、
スイッチが平面上に突設されるとともに、前記回転軸を接受する軸受けを備える基板と、
前記基板を嵌め込んで係止めするための基板止め用リブを備え、シーソースイッチの外郭を構成するハウジングと、
を有し、
前記ハウジングにノブと基板とを嵌め込むことによってシーソースイッチを構成し、さらに、
前記ノブは、回転軸が基板の備える軸受けとハウジング壁面との間に挟持されることにより、回転軸を中心として回動可能に取り付けされること、
を特徴とするシーソースイッチ。
【請求項３】
請求項１又は２に記載のシーソースイッチにおいて、
前記基板がシーソースイッチの底面を構成していること、
を特徴とするシーソースイッチ。
【発明の詳細な説明】
【０００１】
【発明の属する技術分野】
本発明は、シーソースイッチ、特に、各種電子機器の入力操作部等に用いられるシーソースイッチの改良に関するものである。
【０００２】
【従来の技術】
従来のシーソースイッチは、例えば、図８及び図９に示すような構造を有していた。ここで、図８は、従来のシーソースイッチの縦断面を示す図であり、図９は、図８のシーソースイッチの分解斜視図である。
【０００３】
図８及び図９で例示されるシーソースイッチ１は、基板２と、フレキシブルプリント配線基盤３と、可撓性シート４と、ノブ５とを備えて構成されている。基板２は、電子機器等への取付部材となるものである。この基板２の平面には、位置決め突起６が複数突設されており、フレキシブルプリント配線基盤３及び可撓性シート４の位置決めを行う役割を担っている。フレキシブルプリント配線基盤３は、薄くフレキシブルなプラスチック基板であって、この基板上に回路パターンが印刷によってパターン形成された接続部材である。また、可撓性シート４は、シリコンゴム等のゴムによって全体が形成されており、復元可能な弾性を有している。この可撓性シート４は、フレキシブルプリント配線基盤３の上方に配置されてフレキシブルプリント配線基盤３に対するスイッチングを行う。フレキシブルプリント配線基盤３及び可撓性シート４は、基板２の枠部７の間に嵌り込むように設定されている。さらに、ノブ５は、スイッチングのために押圧操作されるものであり、可撓性シート４の上方に配置されている。ノブ５の下面には、嵌合溝９を有する取付プレート１０が形成されており、この取付プレート１０の先端に存在する嵌合溝９が基板２の有する取付軸８に嵌り込むことによってシーソースイッチ１が形成されることになる。なお、ノブ５の下面には押圧部１１が形成されており、この押圧部１１が可撓性シート４の有するスイッチ部１２を押圧することによってスイッチング操作が行われる（例えば、下記特許文献１参照）。
【０００４】
【特許文献１】
特開平９−１３９１５４号公報  （第１図、第２図）
【０００５】
【発明が解決しようとする課題】
近年、シーソースイッチの薄型化が求められている。例えば、自動車等の車室内に後付けされるシーソースイッチには、その特性上から操作性を維持しつつも薄型化を図らなければならないという要請がある。
【０００６】
しかしながら、上記特許文献１において例示されるような、従来のシーソースイッチが有する構造では、さらなる薄型化を図ることは困難である。図８及び図９で例示されるシーソースイッチ１では、その構造上、ノブ５が有する取付プレート１０と基板２が有する取付軸８にある程度の高さがなければスムーズにスイッチング操作ができない。取付軸８、取付プレート１０、押圧部１１及びスイッチ部１２の長さを短くすることにも限界があり、仮に、短くできたとしても操作性を低下させることに繋がるであろう。
【０００７】
本発明は、上記の課題を解決するために成されたものであり、全く新しい構造のシーソースイッチを提供することによって、シーソースイッチの薄型化の要請に応えるものである。
【０００８】
【課題を解決するための手段】
以上のような課題を解決するために、本発明に係るシーソースイッチは、回転軸を備えるノブと、スイッチが平面上に突設された基板と、前記回転軸を接受する軸受けと前記基板を嵌め込んで係止めするための基板止め用リブを備え、シーソースイッチの外郭を構成するハウジングとを有し、前記ハウジングにノブと基板とを嵌め込むことによってシーソースイッチを構成し、さらに、前記ノブは、回転軸がハウジングの備える軸受けと基板平面との間に挟持されることにより、回転軸を中心として回動可能に取り付けされることを特徴とする。
【０００９】
また、本発明に係る他のシーソースイッチは、回転軸を備えるノブと、スイッチが平面上に突設されるとともに、前記回転軸を接受する軸受けを備える基板と、前記基板を嵌め込んで係止めするための基板止め用リブを備え、シーソースイッチの外郭を構成するハウジングとを有し、前記ハウジングにノブと基板とを嵌め込むことによってシーソースイッチを構成し、さらに、前記ノブは、回転軸が基板の備える軸受けとハウジング壁面との間に挟持されることにより、回転軸を中心として回動可能に取り付けされることを特徴とする。
【００１０】
さらに、本発明に係るシーソースイッチが有する前記基板は、シーソースイッチの底面を構成していることを特徴とする。
【００１１】
【発明の実施の形態】
以下、図面を用いて本発明の好適な実施の形態について説明する。図１は、本実施の形態に係るシーソースイッチの外観斜視図である。また、図２は、図１で示した本実施の形態に係るシーソースイッチの下視図である。さらに、図３は、本実施の形態に係るシーソースイッチの分解斜視図である。
【００１２】
本実施の形態に係るシーソースイッチ２０は、基板３０と、ノブ４０と、ハウジング５０から構成されている。
【００１３】
基板３０は、シーソースイッチ２０の底面を構成する部品である。基板３０の平面には、スイッチ３１とＬＥＤ（発光ダイオード）３２が設けられている。本実施の形態においては、２個のスイッチ３１を有する場合のシーソースイッチ２０を例示している。なお、ＬＥＤ３２は、夜間照明灯としての役割を果たしており、スイッチ３１が「ＯＮ」の状態になると点灯し、「ＯＦＦ」の状態になると消灯する。ただし、この点灯条件に限られるものではなく、あらゆる条件設定（例えば、一定時間点滅するなど）をすることが可能である。
【００１４】
ノブ４０は、シーソースイッチ２０を操作する際に力を受ける部分であり、スイッチ３１に対応したボタン部４１が設けられている。このボタン部４１には、盲牌対応のための凹凸形状が形成されており、この凹凸形状によってボタン部４１の機能が表示されている。ノブ４０には、回転軸４２が備わっており、この回転軸４２を中心として回動可能に取り付けされることになる。さらに、スイッチ３１との接触部には押し子４３が設けられており、この押し子４３がスイッチ３１に接触することによって電気信号が発信されることになる。
【００１５】
ハウジング５０は、シーソースイッチ２０の外郭を構成する部品である。ハウジング５０には、ノブ４０の回転軸４２を接受するための軸受け５１が設けられている。さらに、ハウジング５０は、基板３０を嵌め込んで係止めするための基板止め用リブ５２を備えている。したがって、ハウジング５０の軸受け５１にノブ４０の回転軸４２を嵌め込み、さらにその後、ハウジング５０の基板止め用リブ５２に係止めされるように基板３０を嵌め込むことによってシーソースイッチ２０の組み立てが完了する。なお、基板３０は、ハウジング５０が有する基板止め用ツメ５３によっても底面側から押さえられるので、基板止め用リブ５２と基板止め用ツメ５３によって挟持され、固定されることになる。
【００１６】
次に、本実施の形態に係るシーソースイッチの動作について図を用いて説明する。図４において、（ａ）は本実施の形態に係るシーソースイッチの外観斜視図であり、（ｂ）は（ａ）における回転軸部の断面（Ａ−Ａ断面）を示す図である。また、図５において、（ａ）は本実施の形態に係るシーソースイッチの外観斜視図であり、（ｂ）は（ａ）におけるボタン部の断面（Ｂ−Ｂ断面）を示す図である。さらに、図６において、（ａ）は本実施の形態に係るシーソースイッチの外観斜視図であり、（ｂ）は（ａ）におけるシーソースイッチ全体の断面（Ｃ−Ｃ断面）を示す図である。
【００１７】
図４（ｂ）において示すように、ノブ４０が有する回転軸４２は、ハウジング５０が有する軸受け５１と基板３０の平面とに挟持されている。また、図５（ｂ）で示すように、スイッチ３１部分において、ノブ４０は基板３０とハウジング５０によって形成される空間に拘束されることなく存在している。したがって、ノブ４０は、回転軸４２を中心として回動可能となり、シーソーのような動きをすることができる（図６（ｂ）参照）。
【００１８】
なお、他の実施の形態として、図７で示すように、基板３０側に軸受け３３を設ける構造とすることも可能である。すなわち、ノブ４０が有する回転軸４２を基板３０が有する軸受け３３とハウジング５０が有するハウジング壁面５４によって挟持することにより、ノブ４０は回転軸４２を中心にして回動自在に取り付けされ、シーソースイッチとしての動きが可能となる。
【００１９】
本実施の形態では、２個のスイッチ３１を有する場合のシーソースイッチ２０を例示して説明した。しかしながら、スイッチ３１が１個である場合にも本発明を実現することが可能である。すなわち、軸受け３３と回転軸４２の位置を移動するだけで、スイッチ３１が１個の場合のシーソースイッチ２０を実現することが可能なことは当業者にとっては明らかであろう。
【００２０】
【発明の効果】
以上述べたように、本発明が提案する全く新しい構造のシーソースイッチによれば、操作性を維持しつつも、シーソースイッチの薄型化を実現することが可能である。
【図面の簡単な説明】
【図１】本実施の形態に係るシーソースイッチの外観斜視図である。
【図２】図１で示した本実施の形態に係るシーソースイッチの下視図である。
【図３】本実施の形態に係るシーソースイッチの分解斜視図である。
【図４】（ａ）は本実施の形態に係るシーソースイッチの外観斜視図であり、（ｂ）は（ａ）における回転軸部の断面（Ａ−Ａ断面）を示す図である。
【図５】（ａ）は本実施の形態に係るシーソースイッチの外観斜視図であり、（ｂ）は（ａ）におけるボタン部の断面（Ｂ−Ｂ断面）を示す図である。
【図６】（ａ）は本実施の形態に係るシーソースイッチの外観斜視図であり、（ｂ）は（ａ）におけるシーソースイッチ全体の断面（Ｃ−Ｃ断面）を示す図である。
【図７】本発明に係る他の実施形態のシーソースイッチを示す分解斜視図である。
【図８】従来の技術に係るシーソースイッチの縦断面を示す図である。
【図９】図８で示す従来の技術に係るシーソースイッチの分解斜視図である。
【符号の説明】
１，２０  シーソースイッチ、２，３０  基板、３  フレキシブルプリント配線基盤、４  可撓性シート、５，４０  ノブ、６  位置決め突起、７  枠部、８取付軸、９  嵌合溝、１０  取付プレート、１１  押圧部、１２  スイッチ部、３１  スイッチ、３２  ＬＥＤ、３３，５１  軸受け、４１  ボタン部、４２回転軸、４３  押し子、５０  ハウジング、５２  基板止め用リブ、５３  基板止め用ツメ、５４  ハウジング壁面。
【図１】
2004327365.tif 000003
【図２】
2004327365.tif 000004
【図３】
2004327365.tif 000005
【図４】
2004327365.tif 000006
【図５】
2004327365.tif 000007
【図６】
2004327365.tif 000008
【図７】
2004327365.tif 000009
【図８】
2004327365.tif 000010
【図９】
2004327365.tif 000011